(57)【要約】【課題】  モード切り替え時に画像信号の処理を開始するまでの時間を長くすることなく消費電力を低減する。【解決手段】  第１の動作周波数で動作する第１の動作モードと、第１の動作周波数よりも高い第２の動作周波数で動作する第２の動作モードとを有する。第２の動作モードでの動作を開始するまでに規定された時間が短い第１のブロック群に第１の動作モードで供給する電源電圧を第２の動作モードで動作するための第３の電圧よりも低い第１の電圧とし、第２のブロック群に対して第１の動作モードで供給する電源電圧を、第１の電圧よりも低い第２の電圧とする。【選択図】  図１
2020013264.tif 000002
【特許請求の範囲】
【請求項１】
複数の機能ブロックを含み、入力された画像信号を処理する集積回路と、
前記集積回路に電源を供給する手段とを備え、
前記集積回路は、第１の動作周波数で動作する第１の動作モードと、前記第１の動作周波数よりも高い第２の動作周波数で動作する第２の動作モードとを有し、前記第１の動作モードから前記第２の動作モードに切り替わった後の前記第２の動作モードでの動作を開始するまでに規定された時間が異なる第１のブロック群と第２のブロック群のうち、前記時間が前記第２の機能ブロック群よりも短い第１のブロック群の機能ブロックに対して前記第１の動作モードで供給する電源電圧を、前記第２の動作モードで動作するための第３の電圧よりも低い第１の電圧とし、前記第２のブロック群の機能ブロックに対して前記第１の動作モードで供給する電源電圧を、前記第１の電圧よりも低い第２の電圧として、前記第２の動作モードへの切り替えに応じて、前記第１のブロック群と前記第２のブロック群に供給する電源電圧をそれぞれ前記第３の電圧とすることを特徴とする画像処理装置。
【請求項２】
前記第２の電圧は、前記第１の動作周波数で動作が保証された下限の電圧であることを特徴とする請求項１に記載の画像処理装置。
【請求項３】
前記集積回路が処理する画像信号を記憶するためのメモリを備え、
前記第１のブロック群は、撮像手段から入力された前記画像信号を前記メモリに保持するまでの処理を行う前記機能ブロックを含むことを特徴とする請求項１に記載の画像処理装置。
【請求項４】
前記第２のブロック群は、前記画像信号の現像処理部と符号化処理部を含む、前記メモリに保持された前記画像信号を記録媒体へ記録するまでの処理を行う前記機能ブロックを含むことを特徴とする請求項３に記載の画像処理装置。
【請求項５】
前記第１の動作モードはスタンバイモードであり、前記第２の動作モードは撮影モードであることを特徴とする請求項１に記載の画像処理装置。
【請求項６】
前記集積回路が処理する画像信号を記憶するためのメモリを備え、
前記第１のブロック群は、記録媒体から読み出した前記画像信号を前記メモリに保持するまでの処理を行う前記機能ブロックを含むことを特徴とする請求項１に記載の画像処理装置。
【請求項７】
前記第２の機能ブロック群は、前記画像信号の復号化処理部、表示制御部を含む、前記メモリに保持された画像信号を表示部へ表示するまでの処理を行う前記機能ブロックを含むことを特徴とする請求項６に記載の画像処理装置。
【発明の詳細な説明】
【技術分野】
【０００１】
本発明は画像処理装置に関する。
【背景技術】
【０００２】
従来、デジタルカメラなどの画像処理装置では、信号処理用の半導体集積回路を備えることが一般的である。半導体集積回路の消費電力を削減する手法として、動的に動作周波数および電源電圧を制御するＤＶＦＳ（Ｄｙｎａｍｉｃ  Ｖｏｌｔａｇｅ  ａｎｄ  Ｆｒｅｑｕｅｎｃｙ  Ｓｃａｌｉｎｇ）と呼ばれる技術がある。
【０００３】
ＤＶＦＳは、半導体集積回路の処理量に応じて動作周波数を変更し、変更された動作周波数で動作可能な最小限の電源電圧を供給することにより、半導体集積回路の消費電力を削減する技術である。ＤＶＦＳを用いて、ＣＰＵの負荷状況に応じて電源電圧および動作周波数を制御する構成が特許文献１に記載されている。
【先行技術文献】
【特許文献】
【０００４】
【特許文献１】特開２０１４−５３０１３号公報
【発明の概要】
【発明が解決しようとする課題】
【０００５】
しかしながら、画像処理装置においてＤＶＦＳ技術を適用すると、電源電圧の遷移時間により、シャッターボタンが押されてから撮影が開始されるまでの応答時間が長くなってしまうという課題が生じる。
【０００６】
本発明はこのような課題を解決することを目的とする。
【課題を解決するための手段】
【０００７】
複数の機能ブロックを含み、入力された画像信号を処理する半導体集積回路と、前記半導体集積回路に電源を供給する手段とを備え、前記半導体集積回路は、第１の動作周波数で動作する第１の動作モードと、前記第１の動作周波数よりも高い第２の動作周波数で動作する第２の動作モードとを有し、前記第１の動作モードから前記第２の動作モードに切り替わった後の前記第２の動作モードでの動作を開始するまでに規定された時間が異なる第１のブロック群と第２のブロック群のうち、前記時間が前記第２の機能ブロック群よりも短い第１のブロック群の機能ブロックに対して前記第１の動作モードで供給する電源電圧を、前記第２の動作モードで動作するための第３の電圧よりも低い第１の電圧とし、前記第２のブロック群の機能ブロックに対して前記第１の動作モードで供給する電源電圧を、前記第１の電圧よりも低い第２の電圧として、前記第２の動作モードへの切り替えに応じて、前記第１のブロック群と前記第２のブロック群に供給する電源電圧をそれぞれ前記第３の電圧とする。
【発明の効果】
【０００８】
本発明によれば、モード切り替え時に画像信号の処理を開始するまでの時間を長くすることなく消費電力を低減することが可能となる。
【図面の簡単な説明】
【０００９】
【図１】撮像装置のブロック図。
【図２】撮像装置のモード遷移時のフローチャート。
【図３】撮像装置の動作周波数および電源電圧仕様。
【図４】撮像装置のモード遷移時の電源電圧のタイミングチャート。
【図５】撮像装置のブロック図。
【図６】撮像装置のモード遷移時のフローチャート。
【図７】撮像装置の動作周波数および電源電圧仕様。
【発明を実施するための形態】
【００１０】
以下に、本発明の好ましい実施の形態を、図を用いて説明する。図１は、本発明の画像処理装置が適用される撮像装置１０１の構成を示すブロック図である。
【００１１】
半導体集積回路１０１は画像処理用の集積回路である。半導体集積回路１０１は一つの集積回路チップとして構成される。また、半導体集積回路１０１は、画像処理のための処理回路及びＣＰＵ等から構成される、ＡＳＩＣであるとする。半導体集積回路１０１は、画像信号を処理するための複数の機能ブロックを有する。
【００１２】
電源ＩＣ１０２および電源ＩＣ１０３は、半導体集積回路１０１へ電源を供給する電源ＩＣである。撮像用のセンサー１０７は、撮像画像を光電変換した画像データを、センサーＩＦ１０８を介して撮像処理部１０９へ送る。撮像処理部１０９は、センサーＩＦ１０８より受信した画像データに対してさらに欠陥画素補正などの処理を施し、処理後の画像データをメモリバス１１０経由でＤＲＡＭ１１１へ書き込む。
【００１３】
現像処理部１１２は、撮像処理部１０９がＤＲＡＭ１１１へ書き込んだ画像データを読み出し、色補間処理、ホワイトバランス調整、ノイズ低減、光学歪補正などのいわゆる現像処理を施し、現像処理後の画像データをＤＲＡＭ１１１へ書き込む。このような処理は現像処理に含まれる処理の一例であり、これらの全てが現像処理に含まれているとは限らないものとする。
【００１４】
符号化処理部１１３は、現像処理部１１２がＤＲＡＭ１１１へ書き込んだ画像データを読み出し、符号化処理を施す。符号化処理部１１３の符号化方式は撮影モードによって異なる方式を採用する。動画撮影モードでは読み出した画像データを、Ｈ．２６４などの符号化方式によって符号化する。また静止画撮影モードでは読み出した画像データをＪＰＥＧなどの符号化方式によって符号化する。符号化済みデータをＤＲＡＭ１１１へ書き込む。
【００１５】
記録媒体制御部１１４は、符号化処理部１１３がＤＲＡＭ１１１へ書き込んだ符号化済みデータを読み出し、メモリカード１１５へ書き込みデータを記録する。なお、メモリカード１１５以外に、ハードディスクなどの記録媒体であっても良いものとする。
【００１６】
モード制御部１０４はＣＰＵやその他必要な構成を有し、撮像装置１００の動作モードを制御する機能を有する。モード制御部１０４のＣＰＵは、不図示のＲＯＭに記憶されたプログラムを読み出してＤＲＡＭ１１１上に展開し、このプログラムに従って動作することにより各部を制御する。モード制御部１０４は、例えば撮影前のスタンバイモードや、静止画撮影の静止画撮影モード、また動画撮影時の動画撮影モードなどのモード制御を指示する。指示されたモードを示すモード信号を、電源電圧制御部１０５および周波数制御部１０６へ出力する。
【００１７】
電源電圧制御部１０５は、モード制御部１０４より出力されるモード信号により撮像装置１００のモード情報を受け取り、モード情報に応じた電源電圧を供給するよう電源ＩＣ１０２および電源ＩＣ１０３を制御する。周波数制御部１０６はモード制御部１０４より出力されるモード信号によって撮像装置１００のモード情報を受け取り、モード情報に応じた周波数のクロック信号を生成する。そして、生成したクロック信号をセンサーＩＦ１０８、撮像処理部１０９、現像処理部１１２、符号化処理部１１３、記録媒体制御部１１４に示す各機能ブロックに供給する。
【００１８】
電源電圧ブロック群１１６は、電源ＩＣ１０２から供給される電源電圧で動作する機能ブロックから構成される機能ブロック群を示す。以下の説明では、電源電圧ブロック群１１６をブロック群１１６という。図１においては、ブロック群１１６は、センサーＩＦ１０８、撮像処理部１０９、メモリバス１１０を含む構成である。
【００１９】
また、電源電圧ブロック群１１７は、電源ＩＣ１０３から供給される電源電圧で動作する機能ブロックを含む。以下の説明では、電源電圧ブロック群１１７をブロック群１１７という。図１においては、ブロック群１１７は、モード制御部１０４、電源電圧制御部１０５、周波数制御部１０６、現像処理部１１２、符号化処理部１１３、記録媒体制御部１１４を含む。
【００２０】
各モードの動作周波数およびその動作周波数での動作を保証する下限電圧を図３に示す。スタンバイモードは、動作周波数２００ＭＨｚで動作する動作モードである。また静止画撮影モードは、動作周波数がスタンバイモードより高い４００ＭＨｚで動作する動作モードである。
【００２１】
スタンバイモードの２００ＭＨｚの動作周波数での動作を保証する電源電圧の下限値は０．７Ｖであり、静止画撮影モードの４００ＭＨｚの動作周波数での動作を保証する電源電圧の下限値は０．９Ｖであるものとする。半導体集積回路１０１へ電源を供給する電源ＩＣ１０２、１０３は、１００マイクロ秒（μｓ）で電圧値を０．１Ｖ上昇する特性を有するものとする。
【００２２】
さらに、本実施形態において、スタンバイモードから静止画撮影モードへの遷移開始のトリガは、不図示の操作部におけるシャッターボタンがユーザによって操作され、静止画撮影の指示が入力されたこととなる。シャッターボタンが押されてから実際に静止画撮影が開始されるまでに要する時間、いわゆるレリーズタイムラグの時間が撮像装置１００の仕様として定義されている。レリーズタイムラグの仕様より、低い電源電圧で動作しているスタンバイモードから、静止画撮影モードで動作保証されている０．９Ｖまで電源電圧が上昇するまでの遷移時間が１００μｓと定義されているものとする。
【００２３】
次に、動作モード遷移時の電源電圧およびクロック信号の周波数の制御に関して、図２のフローチャートを用いて説明する。図２のフローチャートは、撮像装置１００がスタンバイモードから静止画撮影モードへ遷移し、静止画撮影が開始されるまでの処理を示すフローチャートである。図２の処理は、モード制御部１０４に含まれるＣＰＵが各部を制御することにより実現される。
【００２４】
不図示の操作部により撮像装置１００の電源がオンになると、モード制御部１０４は、撮像装置１００の動作モードをスタンバイモードに設定する（Ｓ２０１）。スタンバイモードは、ユーザによる静止画の撮影、及び記録された画像の再生の指示を待つモードである。次に、モード制御部１０４は、周波数制御部１０６に対し、スタンバイモードの動作周波数２００ＭＨｚのクロック信号を各機能ブロックへ供給するように指示する（Ｓ２０２）。
【００２５】
次に、モード制御部１０４は、ブロック群１１６へ０．８Ｖの電源を供給するよう電源ＩＣ１０２を制御し、ブロック群１１７へ０．７Ｖの電源を供給するよう電源ＩＣ１０３を制御する（Ｓ２０３）。スタンバイモード時に供給する電源電圧値については後述する。
【００２６】
次に、モード制御部１０４は、ユーザが不図示の操作部を操作することにより、静止画撮影の指示を受けたか否かを判別する（Ｓ２０４）。静止画撮影の指示があると、モード制御部１０４は、スタンバイモードから静止画撮影モードへ動作モードを遷移する（Ｓ２０５）。
【００２７】
そして、モード制御部１０４は、電源電圧制御部１０５を制御し、電源ＩＣ１０２および電源ＩＣ１０３がそれぞれ、０．９Ｖの電源電圧を供給するように制御する（Ｓ２０７）。次に、モード制御部１０４は、電源ＩＣ１０２からブロック群１１６へ供給される電源電圧が、静止画撮影モードで動作保証される下限電圧の０．９Ｖへ到達したか否かを判定する（Ｓ２０７）。
【００２８】
電源ＩＣ１０２が供給する電圧を０．８Ｖから０．９Ｖへ０．１Ｖ上昇させるのに１００ｕｓの時間を要する。そこで、静止画撮影の指示を受けてから１００ｕｓの時間が経過したか否かを判定するものとする。０．９Ｖへ到達する１００μｓの時間が経過すると、Ｓ２０８へ処理を移行する。
【００２９】
Ｓ２０８にて、モード制御部１０４は、周波数制御部１０６を制御し、ブロック群１１６に含まれる機能ブロックに供給するクロック信号を静止画撮影モードに対応した４００ＭＨｚに変更する。そして、各機能ブロックによる静止画撮影に関わる処理を開始する。
【００３０】
次に、モード制御部１０４は、電源ＩＣ１０３からブロック群１１７へ供給される電源電圧が、静止画撮影モードで動作保証される下限電圧の０．９Ｖへ到達したか否かを判定する（Ｓ２０９）。電源ＩＣ１０３が供給する電圧を０．７Ｖから０．９Ｖへ０．２Ｖ上昇させるのに２００ｕｓの時間を要する。そこで、静止画撮影の指示を受けてから２００ｕｓの時間が経過したか否かを判定するものとする。０．９Ｖへ到達する２００μｓの時間が経過すると、Ｓ２１０へ処理を移行する。
【００３１】
次に、モード制御部１０４は、周波数制御部１０６を制御し、ブロック群１１７に含まれる機能ブロックに供給するクロック信号を、静止画撮影モードに対応した４００ＭＨｚに変更する。そして、各機能ブロックによる静止画撮影に関わる処理を開始する。なお、周波数制御部１０６がクロック信号の周波数を２００ＭＨｚから４００ＭＨｚに変更するまでの時間は、電源ＩＣ１０２が供給する電圧を０．８Ｖから０．９Ｖへ０．１Ｖ上昇させるのに要する時間よりも遙かに短い。
【００３２】
以上により、おけるスタンバイモードから静止画撮影モードへの動作モード遷移に関わる制御を終了する。
【００３３】
図４は、スタンバイモードから静止画撮影モードへの遷移における、電源電圧の遷移を示す図である。図４（ａ）は、ブロック群１１６に供給される電源電圧の遷移を示した図である。前述のように、スタンバイモード時の動作保証内の下限電圧は０．７Ｖであるが、ここではスタンバイモード時の電源電圧を０．８Ｖに設定する。その後シャッターボタンが押されると、静止画撮影モードへ動作モードを遷移する。
【００３４】
ここで、レリーズタイムラグの仕様から、半導体集積回路１０１の電源遷移に許可される時間は１００μｓ以内と定義されている。また、電源ＩＣ１０２、１０３が供給する電圧を０．１Ｖ上昇させるのに要する時間が１００μｓである。そのため、モード変更指示から１００μｓで０．９Ｖに電源電圧を制御可能なように、スタンバイモード時は電源電圧を０．８Ｖに設定する。
【００３５】
図４（ｂ）は、ブロック群１１７に供給される電源電圧の遷移を示した図である。スタンバイモードの供給電圧は、スタンバイモードの動作保証内の下限電圧である０．７Ｖに設定する。その後シャッターボタンが押されると、２００μｓの期間で静止画撮影モードの動作保証内の下限電圧である０．９Ｖに電圧を遷移させる。
【００３６】
本実施形態において、ブロック群１１６には、センサーＩＦ１０８、撮像処理部１０９、メモリバス１１０が含まれており、センサー１０７から入力した画像信号をＤＲＡＭ１１１に保持するまでの機能ブロックが含まれる。また、ブロック群１１７には、現像処理部１１２、符号化処理部１１３、記録媒体制御部１１４が含まれており、ＤＲＡＭ１１１に保持された画像信号の現像処理から記録媒体へ書き込むまでの機能ブロックが含まれる。
【００３７】
スタンバイモード時に、センサー１０７から入力された画像信号をＤＲＡＭ１１１へ保持するまでの機能ブロックを含むブロック群１１６には、動作保証の下限電圧よりも高い電源電圧を供給する。そのため、ブロック群１１６の各回路が、スタンバイモードから静止画撮影モードで動作可能となるまでの時間を短くすることができる。
【００３８】
即ち、ブロック群１１６は、ブロック群１１７よりも、スタンバイモードから静止画撮影モードで動作を開始できるまでの時間が短く、高速に復帰する回路ブロック群（高速復帰群）である。
【００３９】
また、静止画撮影モードにおいて、ＤＲＡＭ１１１に保持された画像信号を記録媒体へ記録するまでの機能ブロックを含むブロック群１１７は、必要な画像信号がＤＲＡＭ１１１に保持されてから動作を開始すればよい。つまり、ブロック群１１７の各回路は、静止画撮影モードで処理を開始するまでの時間に余裕がある。そのため、ブロック１１７に対し、スタンバイモードにおいて供給する電源電圧を動作保証内の下限電圧値に設定することで、半導体集積回路１０１における消費電力を大きく低減させることができる。
【００４０】
即ち、ブロック群１１７は、ブロック群１１６のように、スタンバイモードから静止画撮影モードで動作可能となるまでの時間を短くしていない、通常の期間で復帰する回路ブロック群（通常復帰群）である。
【００４１】
とくに、デジタルカメラなどの撮影装置においては、一般的に、電源オン状態のうち静止画撮影の処理を行っている期間に比べ、待機状態である期間の方が長い。この待機状態において、半導体集積回路１０１をスタンバイモードに設定することで、撮像装置１００の消費電力を大幅に抑制することができる。
【００４２】
本実施形態では、ブロック群１１６およびブロック群１１７の二つのブロック群を有する構成としたが、三つ以上の電源電圧ブロック群を有する構成としてもよい。
【００４３】
言い換えると、画像の撮影指示を受けた後、先に画像信号を処理する回路ほど、スタンバイモード時にいて供給される電圧の値を大きくしておく。或いは、静止画撮影モードにおいて動作を開始するまでの時間として規定された時間が短いブロックほど、スタンバイモード時にいて供給される電圧の値を大きくしておく。
【００４４】
そして、静止画撮影の指示があったときに、電源電圧が静止画撮影の処理のための電圧に達し、画像信号の処理を開始することができるまでに要する時間を短く設定しておく。このように構成することにより、待機状態における電源電圧を不必要に高く設定したり、或いは、低く設定したりすることなく、消費電力を低減することが可能となる。
【００４５】
また、本実施形態では、ブロック群１１６および１１７の電源を、半導体集積回路の外部の電源ＩＣ１０２、１０３から供給し、電源ＩＣ１０２、１０３を制御することで各ブロック群へ供給する電源電圧を制御する。しかし、例えば半導体集積回路１０１内部にオンチップレギュレータを備え、オンチップレギュレータから各ブロック群へ供給する電圧の値を制御する構成でも良い。
【００４６】
図５は、本発明の実施形態に係る撮像装置５００の構成を示すブロック図である。撮像装置５００は、半導体集積回路５０１を有する。図５において、図１と同様の機能ブロックについては同一番号を付加して説明は省略する。
【００４７】
記録媒体制御部５１４は、符号化処理部１１３がＤＲＡＭ１１１へ書き込んだ符号化済みデータを読み出し、メモリカード１１５へ書き込みデータを記録する。また、メモリカード１１５に書き込まれたデータを読み出す機能も有しており、読み出したデータを、メモリバス１１０を介してＤＲＡＭ１１１へ書き込む。
【００４８】
復号化処理部５１８は、メモリカード１１５から読み出したデータを、ＤＲＡＭ１１１から読み出し、Ｈ．２６４などの所望の復号化方式で復号化し、復号化済みデータをＤＲＡＭ１１１へ書き戻す。表示制御部５１９は、ＤＲＡＭ１１１から画像データを読み出し、表示部５２０へ画像を表示する制御を行う。
【００４９】
電源電圧ブロック群５１６は、電源ＩＣ１０２から供給される電源電圧で動作する機能ブロックから構成される機能ブロック群を示す。以下、電源電圧ブロック群５１６をブロック群５１６という。ブロック群５１６は、センサーＩＦ１０８、撮像処理部１０９、メモリバス１１０、および記録媒体制御部５１４を含む。
【００５０】
電源電圧ブロック群５１７は、電源ＩＣ１０３から供給される電源電圧で動作する機能ブロック群を示す。以下、電源電圧ブロック群５１７をブロック群５１７という。ブロック群５１７は、モード制御部１０４、電源電圧制御部１０５、周波数制御部１０６、現像処理部１１２、符号化処理部１１３、復号化処理部５１８、表示制御部５１９を含む。
【００５１】
次に、各モードの動作周波数、および、その動作周波数での動作を保証する下限電圧を図７に示す。スタンバイモードは、動作周波数２００ＭＨｚで動作する動作モードである。また静止画撮影モードおよび再生モードは、動作周波数がスタンバイモードより高い４００ＭＨｚで動作する動作モードである。
【００５２】
スタンバイモードの２００ＭＨｚの動作周波数での動作を保証する電源電圧の下限値は０．７Ｖであり、静止画撮影モードおよび再生モードの４００ＭＨｚの動作周波数での動作を保証する電源電圧の下限値は０．９Ｖであるものとする。また、半導体集積回路５０１へ電源を供給する電源ＩＣ１０２、１０３は、１００μｓで電圧値を０．１Ｖ上昇する特性を有するものとする。
【００５３】
レリーズタイムラグの仕様により、スタンバイモードから静止画撮影モードで動作保証されている０．９Ｖまで電源電圧が上昇するまでの遷移時間が、第１の実施形態と同じく１００μｓと定義されているものとする。
【００５４】
本実施形態では更に、スタンバイモードにおいて、ユーザが不図示の操作部を操作することにより、静止画の再生を行う再生モードへの指示が可能である。スタンバイモードにおいて再生モードへの指示を受けてから、メモリカード１１５に記録されている画像を表示部５２０に表示するまでの時間が撮像装置５００の仕様として定義されている。さらに半導体集積回路５０１が低い電源電圧で動作しているスタンバイモードから、再生モードで動作保証されている０．９Ｖまで電源電圧が上昇するまでの遷移時間が１００μｓと定義されているものとする。
【００５５】
次に、動作モード遷移時の電源電圧およびクロック信号の周波数の制御に関して、図６のフローチャートを用いて説明する。図６のフローチャートは、モード制御部１０４が各部を制御することにより実行される。また、図６の処理は、低い動作周波数で動作しているスタンバイモードから再生モードへ遷移し、再生処理が開始されるまでの処理を示すフローチャートである。
【００５６】
不図示の操作部により電源がオン状態になると、モード制御部１０４はスタンバイモードに遷移し（Ｓ６０２）、周波数制御部１０６を制御して、スタンバイモードの動作周波数２００ＭＨｚのクロック信号を各機能ブロックへ供給する（Ｓ６０２）。次に、モード制御部１０４は、電源ＩＣ１０２によりブロック群５１６へ０．８Ｖの電源を供給するように、電源電圧制御部１０５を制御する。また、モード制御部１０４は、電源ＩＣ１０３によりブロック群５１７へ０．７Ｖの電源を供給するよう電源電圧制御部１０５を制御する（Ｓ６０３）。
【００５７】
次に、モード制御部１０４は、再生モードの指示を受けたか否かを判別する（Ｓ６０４）。再生モードの指示を受けると、モード制御部１０４は、スタンバイモードから再生モードへ動作モードを遷移する（Ｓ６０５）。再生モードに遷移すると、モード制御部１０４は、電源ＩＣ１０２と電源ＩＣ１０３がそれぞれ０．９Ｖの電源電圧を供給するように、電源電圧制御部１０５を制御する（Ｓ６０６）。
【００５８】
次に、モード制御部１０４は、電源ＩＣ１０２からブロック群５１６へ供給される電源電圧が、再生モードでの動作が保証される下限電圧の０．９Ｖへ到達したか否かを判定する（Ｓ６０７）。電源ＩＣ１０２は、供給する電圧を０．８Ｖから０．９Ｖへ０．１Ｖ上昇させるのに１００ｕｓの時間を要する。そのため、電源ＩＣ１０２に対して０．９Ｖの電源電圧を供給するように指示してから１００ｕｓの時間が経過したか否かを判定する。
【００５９】
０．９Ｖへ到達する１００ｕｓの時間が経過すると、モード制御部１０４は、周波数制御部１０６を制御して、ブロック群５１６の各機能ブロックに供給するクロック信号の周波数を４００ＭＨｚに変更し、各機能ブロックによる再生処理を開始する。
【００６０】
次に、モード制御部１０４は、電源ＩＣ１０３からブロック群５１７へ供給される電源電圧が、再生モードで動作保証される下限電圧の０．９Ｖへ到達したか否かを判定する（Ｓ６０９）。電源ＩＣ１０３は、供給する電圧を０．７Ｖから０．９Ｖへ０．２Ｖ上昇させるのに２００ｕｓの時間を要する。そのため、電源ＩＣ１０３に対して０．９Ｖの電源電圧を供給するように指示してから２００μｓの時間が経過したか否かを判定する。
【００６１】
０．９Ｖへ到達する２００μｓの時間が経過すると、モード制御部１０４は、周波数制御部１０６を制御して、ブロック群５１７の機能ブロックに供給するクロック信号の周波数を４００ＭＨｚに変更し、各機能ブロックによる再生処理を開始する。
【００６２】
以上により、本撮像装置におけるスタンバイモードから再生モードへの動作モード遷移に関わる制御を終了する。
【００６３】
このように、スタンバイモードでは、メモリカード１１５を制御する記録媒体制御部５１４を含むブロック群５１６に対し、動作保証の下限電圧よりも高い電源電圧を供給するように制御する。そのため、ブロック群５１６の各回路が、スタンバイモードから再生モードで動作可能となるまでの時間を短くすることができる。
【００６４】
即ち、ブロック群５１６は、ブロック群５１７よりも、スタンバイモードから再生モードで動作可能となるまでの時間が短く、高速に復帰する回路ブロック群（高速復帰群）である。
【００６５】
また、再生モードにおいて、ＤＲＡＭ１１１に保持された画像信号を復号し、表示部５２０に表示する機能ブロックを含むブロック群１１７は、メモリカード１１５から読み出された画像信号がＤＲＡＭ１１１に保持されてから動作を開始すればよい。つまり、ブロック群１１７の各回路は、スタンバイモードから再生モードで処理可能となるまでの復帰時間に余裕がある。そのため、ブロック群１１７に対し、スタンバイモードにおいて供給する電源電圧を動作保証内の下限電圧値に設定することで、半導体集積回路１０１における消費電力を大きく低減させることができる。
【００６６】
即ち、ブロック群１１７は、ブロック群１１６のように、スタンバイモードから再生モードで動作可能となるまでの時間を短くしていない、通常の期間で復帰する回路ブロック群（通常復帰群）である。
【００６７】
なお、第１、第２の実施形態では、スタンバイモードから、静止画撮影モード、或いは再生モードへのモード遷移時の処理について説明した。これ以外にも、例えば、半導体集積回路が第１の動作周波数で動作する第１に動作モードと、第１の動作周波数よりも高い第２の動作周波数で動作する第２の動作モードを持つ構成としてもよい。
【００６８】
第１の動作モードから第２の動作モードに遷移する際に、第２の動作モードにおいて先に画像信号を処理すべき機能ブロックを含む第１のブロック群と、第１のブロック群の後に処理を行う第２のブロック群を設ける。そして、第１の動作モードにおいて、第１のブロック群に供給する電源電圧を、第２のブロック群に供給する電源電圧よりも高くする。
【００６９】
或いは、第２の動作モードで動作開始となるまでに規定された時間が短い第１のブロック群と、第１のブロック群よりも第２の動作モードでの動作開始までに規定された時間が長い第２のブロック群を設ける。そして、第１の動作モードにおいて、第１のブロック群に供給する電源電圧を、第２のブロック群に供給する電源電圧よりも高くする。
【００７０】
こうすることで、第２の動作モードへの切り替え後に、画像信号の処理を開始するまでの時間を長くすることなく、消費電力を削減することが可能となる。
【図１】
2020013264.tif 000003
【図２】
2020013264.tif 000004
【図３】
2020013264.tif 000005
【図４】
2020013264.tif 000006
【図５】
2020013264.tif 000007
【図６】
2020013264.tif 000008
【図７】
2020013264.tif 000009